(57)【特許請求の範囲】
【請求項１】
第１のクッション体と、
この第１のクッション体の上面に設けられた枠状弾性材と、
下部材と上部材に分割され上記枠状弾性材の内部に上記第１のクッション体上に重合される状態で収容された低反発弾性材からなる第２のクッション体と、
この第２のクッション体の上記下部材と上部材との間に設けられこれら下部材と上部材を所定の温度に加熱する加熱手段と、
上記第１のクッション体と第２のクッション体とを被覆した外装地と
を具備したことを特徴とするマットレス装置。
【発明の詳細な説明】
【０００１】
【発明の属する技術分野】
この発明は体圧を分散することができるマットレス装置に関する。
【０００３】
【従来の技術】
一般に、マットレス装置はスプリングユニットを有し、このスプリングユニットの上下面のうちの、少なくとも上面に発泡ポリウレタンなどの発泡弾性材からなる弾性層を重合し、この重合体を外装地で被覆して構成されている。
【０００４】
しかしながら、このような構成のマットレス装置によると、利用者がマットレス装置上に仰臥すると、身体の重たい部分である、たとえば臀部などが弾性層及びスプリングユニットを弾性変形させて大きく沈むため、その部分に大きな反発力が発生することになる。
【０００５】
その結果、臀部が弾性層やスプリングユニットの反発力によって圧迫されることになるため、長期にわたって就寝しなければならない、たとえば老人や病人などのなどのような自力で自由に寝返りを打つことができないような利用者の場合、臀部に辱瘡が発生し易くなるということがあった。
【０００６】
そこで、上記弾性層に、荷重に対して反発力が発生し難い、低反発ウレタンフォームなどの低反発弾性材を用いることが検討されている。低反発弾性材は、反発弾性が非常に小さく、しかも衝撃に対して優れた吸収性能を有するという利点がある。
【０００７】
そのため、低反発弾性材は、利用者の荷重が加わると、身体の凹凸に応じて緩やかに沈んで身体を支えるため、利用者の身体の重い部分に反発力が集中し難く、体圧を分散させる効果がある。その結果、スプリングユニットに加わる応力も分散されるから、長期間にわたって就寝していても、身体に辱瘡が発生し難いということがある。
【０００８】
【発明が解決しようとする課題】
ところで、低反発弾性材は、温度によって硬さが異なる、温度依存性を有する。すなわち、低温下において低反発弾性材は硬くなるため、室温が低下する冬季などには低反発弾性材が体温によって温度上昇するまでは利用者に硬い感触を与えてしまうということがあり、快適な状態で使用することができないということがあった。
【０００９】
この発明は、低反発弾性材を所定の温度に加熱することができる加熱手段を設けることで、冬季などの温度の低いときに低反発弾性材が硬くなるのを防止できるようにしたマットレス装置を提供することにある。
【００１１】
【課題を解決するための手段】
請求項１の発明は、第１のクッション体と、
この第１のクッション体の上面に設けられた枠状弾性材と、
下部材と上部材に分割され上記枠状弾性材の内部に上記第１のクッション体上に重合される状態で収容された低反発弾性材からなる第２のクッション体と、
この第２のクッション体の上記下部材と上部材との間に設けられこれら下部材と上部材を所定の温度に加熱する加熱手段と、
上記第１のクッション体と第２のクッション体とを被覆した外装地と
を具備したことを特徴とするマットレス装置にある。
【００１３】
この発明によれば、低反発弾性材を加熱手段によって加熱することができるため、たとえば冬季などの室温が低い時期であっても、上記低反発弾性材が硬くなるのを防止することができる。
【００１４】
【発明の実施の形態】
以下、図面を参照しながらこの発明の一実施の形態を説明する。
【００１５】
図１に示すこの発明のマットレス装置は第１のクッション体としてのスプリングユニット１を備えている。このスプリングユニット１は多数のコイルスプリング２を行列状に配置し、隣り合うコイルスプリング２の上端面と下端面とをそれぞれヘリカル線３によって連結し、さらに上下面の周縁部には枠線４を図示しないクリップによって１連結している。
【００１６】
上記スプリングユニット１の上面と下面とにはそれぞれ板状の上部保護層５と下部保護層６とが接合されている。各保護層５，６は圧縮綿や比較的硬質なウレタンフォームなどの材料によって形成されている。
【００１７】
上記上部保護層５上には、図３に示すようにウレタンシートなどの底部材７が敷設され、この底部材７上にはウレタンフォームなどの材料によって形成された枠状弾性材８が下端面を上記底部材７の周辺部に接着固定して設けられている。
【００１８】
上記枠状弾性材８の内部には第２のクッション体としての低反発弾性材１０が設けられている。この低反発弾性材１０は、上記枠状弾性材８の高さの約半分程度の厚さを有する下部材１１と上部材１２とが接合されてなる。
【００１９】
上記下部材１１と上部材１２との間には、たとえば耐熱性不織布などからなる一対の耐熱性シート１３がほぼ全面にわたって設けられている。これら耐熱性シート１３間には蛇行状に屈曲された加熱手段としての一線式の発熱体１４が上記低反発弾性材１０のほぼ全面にわたって設けられている。
【００２０】
上側に位置する耐熱性シート１２の上面周辺部には、たとえばベルベットファスナなどの帯状の連結部材１５の一端部が係着保持されている。この連結部材１５の他端は上記底部部材７と枠状弾性材１２との間に挿入され、これらと一体的に接着固定されている。それによって、上記発熱体１３は上記耐熱シート１２を介して上記低反発弾性材１０の下部材１１上に移動不能に保持されている。
【００２１】
上記発熱体１３には温度設定器１６を介して給電されるようになっている。この温度設定器１６は上記発熱体１３の温度を設定することができる。それによって、下部材１１と上部材１２とからなら低反発弾性材１０を所定の温度に加熱維持できるようになっている。
【００２２】
上記スプリングユニット１と低反発弾性材１０との積層体は外装地２１によって被覆されている。この外装地２１は、上記下部保護層６を被覆した下鏡地２２と、上記枠状弾性材８と低反発弾性材１０との上面を被覆した上鏡地２３及びスプリングユニット１と枠状弾性材８との外周面を被覆したまち地２４とからなり、このまち地２４の上下端部が上記下鏡地２２と上鏡地２３の周縁部にテープ２５によって一体的に縫合されている。
【００２３】
このような構成のマットレス装置によれば、上面に利用者が仰臥すると、この利用者の荷重は枠状弾性材８内に設けられた低反発弾性材１０によって支持される。つまり、低反発弾性材１０に利用者の荷重が加わると、この低反発弾性材１０は身体の凹凸に応じて緩やかに沈んで身体を支えるため、利用者の身体の重い部分に反発力が集中するのを防止し、それに応じてスプリングユニット１に加わる荷重も分散される。
【００２４】
そのため、利用者が老人や病人などで、自由に寝返りを打つことができないような場合であっても、その利用者の身体の重い部分が圧迫され続けて辱瘡が生じるのを防止することができる。
【００２５】
上記低反発弾性材１０の下部材１１と上部材１２との間には発熱体１４が設けられている。この発熱体１４は温度設定器１６によって所定の温度に維持できる。つまり、冬季などのように室内温度が低下して上記低反発弾性材１０が硬くなる虞があるときには、上記温度設定器１６によって低反発弾性材１０の温度を、この低反発弾性材１０が硬くならない所定の温度に維持されるよう設定しておく。
【００２６】
それによって、冬季などのように室内温度が低下する時期であっても、低反発弾性材１０が硬くなるのを防止できるから、利用者は柔らかな感触が損なわれることなくマットレス装置を利用することができる。
【００２７】
また、低反発弾性材１０を下部材１１と上部材１２とに分割し、発熱体１４をこれらの部材１１，１２の間に設けるようにしたため、発熱体１４によって下部材１１と上部材１２とを全体にわたって同じように加熱することができる。つまり、低反発弾性材１０を厚さ方向にわたって均一に加熱することが可能となる。
【００２８】
低反発弾性材１０は外形状が維持されにくいが、枠状弾性材８内に収容するようにしたため、この枠状弾性材８によって形状を維持することができる。つまり、上記枠状部材８によってマットレス装置の外観形状を良好に維持することができる。
【００２９】
この発明は上記一実施の形態に限定されるものでなく、たとえば上記一実施の形態では第１のクッション体としてのスプリングユニットの上面に低反発弾性材を重合したが、第１のクッション体としてはスプリングユニットに代わり、たとえばウレタンフォームなどによって形成されたクッション体であってもよく、第１のクッション体の構成は限定されるものでない。
【００３０】
【発明の効果】
以上のようにこの発明によれば、マットレス装置の利用者を支持する面に低反発弾性材を設けるとともに、この低反発弾性材を加熱する加熱手段を設けるようにした。
【００３１】
そのため、冬季のように温度が低下する時期であっても、低反発弾性材を加熱手段によって所定の温度に加熱することができるから、利用者に低反発弾性材の硬さが伝わるのを防止することができる。
【図面の簡単な説明】
【図１】この発明の一実施の形態を示すマットレス装置の一部断面した斜視図。
【図２】マットレス装置の長手方向に沿う断面図。
【図３】スプリングユニットの上面側の部分の拡大断面図。
【符号の説明】
１…スプリングユニット（第１のクッション体）
１０…低反発弾性材（第２のクッション体）
１４…発熱体（加熱手段）
２１…外装地
【図１】
0004865962.tif 000002
【図２】
0004865962.tif 000003
【図３】
0004865962.tif 000004